(57)【特許請求の範囲】
【請求項１】
着用者の口を覆うマスク本体部と、着用者の耳に掛けられる第１の耳掛け部および第２の耳掛け部を備え、前記第１の耳掛け部および前記第２の耳掛け部は、それぞれ第１の方向に沿って設けられている第１の接合部および第２の接合部によって前記マスク本体部に接合されているマスクであって、
前記第１の耳掛け部は、第１の基部と、前記第１の基部から延び、開口を形成する第１の縁部を有しており、
前記第１の基部の少なくとも一部は、前記第１の接合部によって前記マスク本体部の一方の面に接合されており、
前記第１の縁部は、前記第１の基部から、前記前記第１の方向の一方方向側に延びており、
前記第２の耳掛け部は、第２の基部と、前記第２の基部から延び、開口を形成する第２の縁部を有しており、
前記第２の基部の少なくとも一部は、前記第２の接合部によって前記マスク本体部の前記一方の面に接合されており、
前記第２の縁部は、前記第２の基部から、前記前記第１の方向の他方方向側に延びており、
少なくともマスク着用時には、前記第１の耳掛け部が前記第１の接合部の箇所で前記第１の方向に沿って折り返されるとともに、前記第２の耳掛け部が前記第２の接合部の箇所で前記第１の方向に沿って折り返され、
前記第１の接合部が、前記第１の耳掛け部の折り返された部分の一部により覆われるとともに、前記第２の接合部が、前記第２の耳掛け部の折り返された部分の一部により覆われることを特徴とするマスク。
【請求項２】
請求項１に記載のマスクであって、
前記第１の基部は、前記第１の方向と交差する第２の方向に離れている第１の下端側基部と第１の上端側基部上端部を有し、前記第１の下端側基部は、前記第１の上端側基部上端部より前記第２の方向の一方方向側に配置されており、
前記第１の縁部は、前記第１の上端側基部および前記第１の下端側基部から延びており、
前記第１の上端側基部の少なくとも一部および前記第１の下端側基部の少なくとも一部が、前記第１の接合部によって前記マスク本体部の前記一方の面に接合されており、
前記第２の基部は、前記第２の方向に離れている第２の下端側基部と第２の上端側基部を有し、前記第２の下端側基部は、前記第１の上端側基部より前記第２の方向の一方方向側に配置されており、
前記第２の縁部は、前記第２の上端側基部および前記第２の下端側基部から延びており、
前記第２の上端側基部の少なくとも一部および前記第２の下端側基部の少なくとも一部が、前記第２の接合部によって前記マスク本体部の前記一方の面に接合されていることを特徴とするマスク。
【請求項３】
請求項１に記載のマスクであって、
前記第１の基部は、前記第１の方向と交差する第２の方向の一方方向に沿って順に配置されている第１の上端側基部、第１の中央基部および第１の下端側基部を有しており、
前記第１の縁部は、前記第１の上端側基部および前記第１の下端側基部から延びており、
前記第１の基部の少なくとも一部が、前記第１の上端側基部、前記第１の中央基部および前記第１の下端側基部において、前記第１の接合部によって前記マスク本体部の前記一方の面に接合されており、
前記第２の基部は、前記第２の方向の前記一方方向に沿って順に配置されている第２の上端側基部、第２の中央基部および第２の下端側基部を有しており、
前記第２の縁部は、前記第２の上端側基部および前記第２の下端側基部から延びており、
前記第２の基部の少なくとも一部が、前記第２の上端側基部、前記第２の中央基部および前記第２の下端側基部において、前記第２の接合部によって前記マスク本体部の前記一方の面に接合されていることを特徴とするマスク。
【請求項４】
請求項３に記載のマスクであって、
前記第１の上端側基部を前記マスク本体部の前記一方の面に接合する前記第１の接合部は、前記第２の方向の前記一方方向端の第１の接合部が、前記２の方向の前記他方方向端の第１の接合部より、前記第１の方向の前記他方方向側に配置されるように設けられており、
前記第２の上端側基部を前記マスク本体部の前記一方の面に接合する前記第２の接合部は、前記第２の方向の前記一方方向端の第２の接合部が、前記２の方向の前記他方方向端の第２の接合部より、前記第１の方向の前記一方方向側に配置されるように設けられていることを特徴とするマスク。
【請求項５】
請求項１〜４のいずれかに記載のマスクであって、
前記第１の接合部および前記第２の接合部は、前記第２の方向に沿って設けられていることを特徴とするマスク。
【請求項６】
着用者の口を覆うマスク本体部と、着用者の耳に掛けられる第１の耳掛け部および第２の耳掛け部を備え、前記第１の耳掛け部および前記第２の耳掛け部は、それぞれ第１の方向に沿って離れて設けられている第１の接合部および第２の接合部によって前記マスク本体部に接合されているマスクであって、
前記第１の耳掛け部は、前記第１の接合部によって、少なくとも一部が前記マスク本体部に接合されている第１の基部と、前記第１の基部から延び、開口を形成する第１の縁部を有しており
前記第２の耳掛け部は、前記第２の接合部によって、少なくとも一部が前記マスク本体部に接合されている第２の基部と、前記第２の基部から延び、開口を形成する第２の縁部を有しており、
少なくともマスク着用時には、前記第１の耳掛け部の一部が、前記第１の接合部と着用者の間に配置され、前記第２の接合部の一部が、前記第２の接合部と着用者の間に配置されることを特徴とするマスク。
【請求項７】
請求項１〜６のいずれかに記載のマスクであって、
前記マスク本体部は、前記第１の方向に沿って延びる複数の襞を有しており、前記複数の襞は、前記第１の方向の前記他方方向側の端部が前記第１の接合部によって接合され、前記第１の方向の前記一方方向側の端部が前記第２の接合部によって接合されており、
前記第１の縁部は、前記第１の基部から帯状に延びており、
前記第２の縁部は、前記第２の基部から帯状に延びていることを特徴とするマスク。
【発明の詳細な説明】
【技術分野】
【０００１】
本発明は、着用者の口や鼻等を覆うマスクの構築技術に関する。
【背景技術】
【０００２】
従来、着用者の口や鼻を覆うマスクとして、例えば、特許文献１に記載されているマスクが知られている。このマスクは、口を覆うマスク本体部と、左側耳掛け部と、右側耳掛け部を備えている。そして、左側耳掛け部および右側耳掛け部は、マスク本体部に熱溶着されている。
【先行技術文献】
【特許文献】
【０００３】
【特許文献１】実公平３−３４１９５号公報
【発明の概要】
【発明が解決しようとする課題】
【０００４】
従来のマスクでは、マスク本体部と左側耳掛け部および右側耳掛け部とを接合する接合部が、マスク本体部の着用面（着用者側の面）にむきだしになっている。このため、固い接合部が、着用者の肌に接触するおそれがある。
本発明は。このような点に鑑みて創案されたものであり、マスクの接合部が着用者の肌に接触するのを防止するのに有効な技術を提供することを目的とする。
【課題を解決するための手段】
【０００５】
本発明のマスクは、一回使用ないし数回使用を目的とした使い捨てタイプのマスクであってもよいし、洗濯等を行うことによって繰り返し使用可能なタイプのマスクであってもよい。
一つの発明は、少なくとも、マスク本体部と、第１および第２の耳掛け部を備えている。マスク本体部は、着用者の口や鼻を覆う部材であり、第１および第２の耳掛け部は、着用者の左耳および右耳に掛けられる部材である。第１及び第２の耳掛け部は、それぞれ第１の方向に沿って離れている第１の接合部および第２の接合部によってマスク本体部に接合されている。
なお、第１の耳掛け部は、着用者の左耳に掛けられ、第２の耳掛け部は、着用者の右耳に掛けられる。「第１の方向」は、マスク本体部の長手方向（幅方向）を表し、マスク着用状態において、着用者の左右方向に対応する。「第１の方向の一方方向」は、第１の耳掛け部から第２の耳掛け部の方向を表し、マスク着用状態において、着用者から見て左から右の方向に対応する。「第１の方向の他方方向」は、第２の耳掛け部から第１の耳掛け部の方向を表し、マスク着用状態において、着用者から見て右から左の方向に対応する。
マスク本体部、第１および第２の耳掛け部は、典型的には、１つのシート片または複数のシート片を接合することによって形成される。マスク本体部は、平面状や立体状に構成可能であるが、少なくともマスク着用時に立体状となるように構成されるのが好ましい。例えば、マスク非着用時には平面状であるが、マスク着用時に立体状となるように構成されたマスク本体部を用いる。このようなマスク本体部としては、例えば、平行に延びる複数の襞により構成されるプリーツタイプのマスク本体部が用いられる。
マスク本体部、第１および第２の耳掛け部を形成するシート片としては、例えば、機械的、化学的、熱的処理によって繊維を固着しあるいは絡み合わせて作られるシート片が用いられる。典型的には、熱融着性合成繊維（熱可塑性合成繊維）を一部に含み、熱融着（熱溶着）が可能な不織布シートが用いられる。マスク本体部と第１および第２の耳掛け部は、一体に形成してもよいし、別体に形成することもできる。好適には、第１および第２の耳掛け部は、伸縮性を有する不織布シート片により形成される。
第１および第２の耳掛け部をマスク本体部に接合する方法としては、種々の接合方法を用いることができる。例えば、熱融着によって接合する方法、接着剤を用いて接合する方法等を用いることができる。第１および第２の接合部は、線状（直線。曲線）や点状等種々の形状の接合部を、線（直線、曲線）に沿ってあるいは不連続に設けることによって構成される。
第１の耳掛け部は、少なくとも一部が、第１の接合部によってマスク本体部の一方の面に接合されている第１の基部を有している。また、第１の基部から、第１の方向の一方方向側に延び、開口を形成する第１の縁部を有している。「マスク本体部の一方の面」は、典型的には、着用面（着用者側の面）が対応する。「第１の縁部」は、着用者の一方の耳（例えば、左側の耳）に掛けられる部分である。
第２の耳掛け部は、少なくとも一部が、第２の接合部によってマスク本体部の一方の面に接合されている第２の基部を有している。また、第２の基部から、第１の方向の他方方向側に延び、開口を形成する第２の縁部を有している。「第１の方向の他方方向側」は、第１の方向に沿った、第２の耳掛け部から第１の耳掛け部の方向が対応する。「第１の縁部」は、着用者の他方の耳（例えば、右側の耳）に掛けられる部分である。
そして、少なくともマスク着用時には、第１の耳掛け部が第１の接合部の箇所で第１の方向に沿って折り返され、折り返された部分の一部が第１の接合部と着用者との間に配置される。また、第２の耳掛け部が第２の接合部の箇所で第１の方向に沿って折り返され。折り返された部分の一部が第２の接合部と着用者との間に配置される。すなわち、第１の接合部が、第１の耳掛け部の一部（折り返された部分の一部）によって覆われ、第２の接合部が、第２の耳掛け部の一部（折り返された部分の一部）によって覆われる。なお、第１の接合部および第２の接合部の全部が覆われるのが好ましいが、少なくとも一部が覆われればよい。
本発明では、少なくともマスク着用時に、第１の耳掛け部の一部によって第１の接合部が覆われ、第２の耳掛け部の一部によって第２の接合部が覆われるため、第１の接合部および第２の接合部が着用者の肌に接触するのを防止することができる。また、本発明のマスクは、非着用時には、第１および第２の耳掛け部がマスク本体部に重ねられるため、包装や持ち運びが容易である。
【０００６】
一つの発明の異なる形態では、第１の基部は、少なくとも、第１の方向と交差する第２の方向に沿って離れている第１の上端側基部と第１の下端側基部を有している。第１の下端側基部は、第１の上端側基部より第２の方向の一方方向側に配置されている。そして、第１の縁部は、第１の上端側基部と第１の下端側基部から延びている。また、第１の上端側基部の少なくとも一部および第１の下端側基部の少なくとも一部が、第１の接合部によってマスク本体部の一方の面に接合されている。同様に、第２の基部は、少なくとも、第２の方向に沿って離れている第２の上端側基部と第２の下端側基部を有している。第２の下端側基部は、第２の上端側基部より第２の方向の一方方向側に配置されている。そして、第２の縁部は、第２の上端側基部と第２の下端側基部から延びている。また、第２の上端側基部の少なくとも一部および第２の下端側基部の少なくとも一部が、第２の接合部によってマスク本体部の一方の面に接合されている。
なお、「第１の方向と交差する第２の方向」は、マスク本体部の長手方向に交差する方向（高さ方向）を表し、マスク着用状態において、着用者の上下方向に対応する。「第２の方向の一方方向」は、マスク本体部の上片から下片の方向を表し、マスク着用状態において、着用者の上から下の方向に対応する。「第２の方向の他方方向」は、マスク本体部の下片から上片の方向を表し、マスク着用状態において、着用者の下から上の方向に対応する。
本形態では、第１の上端側基部の、第１の接合部と第１の縁部の間の部分、第１の下端側基部の、第１の接合部と第１の縁部の間の部分によって、第１の接合部が覆われる。また、第２の上端側基部の、第２の接合部と第２の縁部の間の部分、第２の下端側基部の、第２の接合部と第２の縁部の間の部分によって、第２の接合部が覆われる。
【０００７】
一つの発明のさらに異なる形態では、第１の基部は、第１の方向と交差する第２の方向の一方方向に沿って順に配置されている第１の上端側基部、第１の中央基部および第１の下端側基部を有している。そして、第１の縁部は、第１の上端側基部と第１の下端側基部から延びている。また、第１の上端側基部の少なくとも一部、第１の中央基部の少なくとも一部および第１の下端側基部の少なくとも一部が、第１の接合部によってマスク本体部の一方の面に接合されている。同様に、第２の基部は、少なくとも、第２の方向の一方方向に沿って順に配置されている第２の上端側基部、第２の中央基部および第２の下端側基部を有している。そして、第２の縁部は、第２の上端側基部と第２の下端側基部から延びている。また、第２の上端側基部の少なくとも一部、第２の中央基部の少なくとも一部および第２の下端側基部の少なくとも一部が、第２の接合部によってマスク本体部の一方の面に接合されている。「第１の方向と交差する第２の方向」は、マスク本体部の長手方向に交差する方向であり、マスク着用状態において、着用者の上下方向に対応する。
本形態では、第１の上端側基部の、第１の接合部と第１の縁部の間の部分、第１の中央基部の、第１の接合部より第１の縁部側の部分、第１の下端側基部の、第１の接合部と第１の縁部の間の部分によって、第１の接合部が覆われる。また、第２の上端側基部の、第２の接合部と第２の縁部の間の部分、第２の中央基部の、第２の接合部より第２の縁部側の部分、第２の下端側基部の、第２の接合部と第２の縁部の間の部分によって、第２の接合部が覆われる。これにより、接合部が着用者の肌に接触するのを防止しながら、マスク本体部と第１および第２の耳掛け部との接合強度を高めることができる。
【０００８】
一つの発明のさらに異なる形態では、第１の接合部は、第１の上端側基部において、第２の方向の一方方向端の第１の接合部が、第２の方向の他方方向端の第１の接合部に対して、第１の方向に沿って第１の縁部と反対側に配置されるように設けられている。また、第２の接合部は、第２の上端側基部において、第２の方向の一方方向端の第２の接合部が、２の方向の他方方向端の第２の接合部に対して、第１の方向に沿って第２の縁部と反対側に配置されるように設けられている。
本形態では、第１の上端側基部および第２の上端側基部の箇所における、マスク本体部と着用者との間の隙間の発生を防止することができる。
【０００９】
一つの発明のさらに異なる他の形態では、第１の接合部および第２の接合部は、第２の方向に沿って設けられている。第１および第２の接合部は、第２の方向に沿って順に設けられていればよく、直線に沿って設ける態様を含め種々の配置態様を用いることができる。
本形態では、第１の耳掛け部の、第１の接合部より第１の縁部側の部分および第２の耳掛け部の、第２の接合部より第２の縁部側の部分を容易に折り返すことができる。
【００１０】
異なる発明は、少なくとも、マスク本体部と、第１および第２の耳掛け部を備えている。第１及び第２の耳掛け部は、それぞれ第１の方向に沿って離れている第１および第２の接合部によってマスク本体部に接合されている。「第１の方向」は、先に説明したとおりである。
第１の耳掛け部は、少なくとも一部が、第１の接合部によってマスク本体部の一方の面に接合されている第１の基部を有している。また、第１の基部から、第１の方向の一方方向側に延び、開口を形成する第１の縁部を有している。
第２の耳掛け部は、少なくとも一部が、第２の接合部によってマスク本体部の一方の面に接合されている第２の基部を有している。また、第２の基部から、第１の方向の他方方向側に延び、開口を形成する第２の縁部を有している。
そして、少なくともマスク着用時には、第１の耳掛け部の一部が、第１の接合部と着用者の間に配置され、第２の接合部の一部が、第２の接合部と着用者の間に配置されるように構成されている。例えば、第１の耳掛け部（例えば、左側耳掛け部）が折り返されることによって、第１の接合部が第１の耳掛け部の一部により覆われ、第２の耳掛け部（例えば、右側耳掛け部）が折り返されることによって、第２の接合部が第２の耳掛け部の一部により覆われるように、第１および第２の耳掛け部がマスク本体部に接合される。あるいは、第１の耳掛け部の一部によって第１の接合部が覆われ、第２の耳掛け部の一部によって第２の接合部が覆われるように、第１および第２の耳掛け部がマスク本体部に接合される。
本発明では、第１の接合部および第２の接合部が着用者の肌に接触するのを防止することができる。
【００１１】
一つの発明および他の発明のさらに異なる形態では、マスク本体部は、第１の方向に沿って延びる複数の襞（プリーツ）を有している。複数の襞は、第１の方向の一方方向側の端部（例えば、左側端部）が第１の接合部によって接合され、第１の方向の他方方向側の端部（例えば、右側端部）が第２の接合部によって接合されている。すなわち、マスク本体部は、着用時に立体状とされるプリーツタイプに構成されている。そして、第１および第２の縁部は、それぞれ第１および第２の基部から帯状に延びている。
本形態のマスクでは、先に説明した各構成を用いることによる効果がより効果的に発揮される。
【発明の効果】
【００１２】
本発明のマスクでは、マスクの接合部が着用者の肌に接触するのを防止ることができ、マスクを快適に使用することができる。
【図面の簡単な説明】
【００１３】
【図１】一実施の形態のマスクの非着用状態を非着用面側から見た図である。
【図２】一実施の形態のマスクの非着用状態を着用面側から見た図である。
【図３】一実施の形態のマスクの着用状態を着用面側から見た図である。
【図４】非着用時におけるマスク本体部の状態を示す図である。
【図５】着用時におけるマスク本体部の状態を示す図である。
【図６】図３のＶＩ−ＶＩ線矢視図である。
【図７】接合部の他の例を示す図である。
【図８】接合部の他の例を示す図である。
【図９】接合部の他の例を示す図である。
【図１０】他の実施の形態のマスクの非着用状態を、非着用面側から見た図である。
【発明を実施するための形態】
【００１４】
本発明のマスクの一実施の形態１０を、図１〜図６を参照して説明する。本実施の形態のマスク１０は、１回〜数回の使用を想定した使い捨てマスクとして構成されている。また、本実施の形態のマスク１０は、花粉対策、風等のウィルス対策、口元や鼻腔内の保湿等の環境改善等の種々の用途に使用可能である。
図１は、一実施の形態のマスク１０の非着用状態を非着用面２０Ｙ側（着用面２０Ｘと反対側の面側）から見た図であり、図２は、一実施の形態のマスク１０の非着用状態を着用面２０Ｘ側から見た図である。図３は、一実施の形態のマスク１０の着用状態を着用面２０Ｘ側から見た図である。図４は、非着用状態のマスク本体部２０を示す図であり、図５は、着用状態のマスク本体部２０を示す図である。図６は、図３のＶＩ−ＶＩ線矢視図である。
【００１５】
本明細書で用いられている「方向」は、以下のように定められている。
「第１の方向７０」は、マスク本体部２０の長手方向（幅方向）を表し、マスク着用状態において、着用者の左右方向に対応する（「左右方向」という）。「第１の方向７０の一方方向」は、左側耳掛け部（第１の耳掛け部）３０から右側耳掛け部（第２の耳掛け部）４０の方向を表し、マスク着用状態において、着用者から見て左から右の方向に対応する（「右方向」という）。「第１の方向の他方方向」は、右側耳掛け部（第２の耳掛け部）４０から左側耳掛け部（第１の耳掛け部）３０の方向を表し、マスク着用状態において、着用者から見て右から左の方向に対応する（「左方向」という）。なお、「右方向」および「左方向」という記載は、着用状態において、着用者側から見た方向を表している。したがって、非着用面側から見た場合に用いられる「右方向」および「左方向」という記載は、非着用面側から見た実際の「右方向」および「左方向」と反対方向を示している。
また、「第２の方向８０」は、マスク本体部２０の長手方向に交差する方向（高さ方向）を表し、マスク着用状態において、着用者の上下方向に対応する（「上下方向」という）。「第２の方向８０の一方方向」は、マスク本体部２０の上片から下片の方向を表し、マスク着用状態において、着用者の上から下の方向に対応する（「下方向」という）。「第２の方向８０の他方方向」は、マスク本体部２０の下片から上片の方向を表し、マスク着用状態において、着用者の下から上の方向に対応する（「上方向」という）。
また、「第３の方向９０」は、マスク本体部２０の前後方向を表し、マスク着用状態において、着用者の前後方向に対応する（「前後方向」という）。「第３の方向９０の一方方向」は、マスク本体部２０の非着用面２０Ｙから着用面２０Ｘの方向を表し、マスク着用状態において、着用者の前から後の方向に対応する（「後方向」という）。「第３の方向９０の他方方向」は、マスク本体部２０の着用面２０Ｘから非着用面２０Ｙの方向を表し、マスク着用状態において、着用者の後から前の方向に対応する（「前方向」という）。
【００１６】
図１、図２に示されているように、本実施の形態のマスク１０は、マスク本体部２０、左側耳掛け部３０、右側耳掛け部４０により構成されている。マスク本体部２０は、着用者の口や鼻を覆う部材である。左側耳掛け部３０および右側耳掛け部４０は、着用者の左耳および右耳に掛けられる部材である。マスク本体部２０が、本発明の「マスク本体部」に対応し、左側耳掛け部３０が、本発明の「第１の耳掛け部」に対応し、右側耳掛け部４０が、本発明の「第２の耳掛け部」に対応する。
【００１７】
マスク本体部２０は、第１の方向７０（左右方向）に沿って延びている複数の襞（プリーツ）を有し、プリーツタイプのマスク本体部として形成されている。本実施の形態では、図４に示されているように、上辺２０ａ、下辺２０ｂ、左辺２０ｃ、右辺２０ｄにより方形に形成されているシート片が、上辺２０ａおよび下辺２０ｂに平行な（第１の方向７０に平行な）複数の折り返し線２１ａ〜２１ｊに沿って順次折り返されている。これにより、第１の方向７０に沿って延びる複数の襞２０Ｂ〜２０Ｊが、第２の方向８０（上下方向）に沿って配置されている。マスク本体部２０は、非着用状態では、第１の方向７０に沿った長さ（幅）がＷ、第２の方向８０に沿った長さ（高さ）がＨである方形を有している。勿論、マスク本体部２０の形状は、方形に限定されない。
なお、折り返し線２１ａに沿って折り返された折り返し片２０Ａと襞２０Ｂによって、保形部５０が保持される。保形部５０は、マスク着用時に、マスク本体部２０の上端部を着用者の顔の凹凸形状に対応させることによって、マスク本体部２０と着用者の顔との間の隙間を減少させるものである。保形部５０は、折り曲げが容易であり、また、折り曲げた形状を維持する剛性を有するのが好ましい。保形部５０としては、例えば、合成樹脂あるいは金属等によって形成された薄板が用いられる。保形部５０は、種々の方法でマスク本体部２０に保持される。本実施の形態では、図１に示されているように、折り返し片２０Ａと襞２０Ｂを、破線で示されている接合部２８と、黒丸で示されている接合部で接合することによって。保形片５０を保持している。
また、折り返し線２１ｊによって折り返された折り返し片２０Ｋは、接合部２９によって、襞２０Ｊと接合されている。
隣接する襞は、第１の方向７０に沿った両端部において、後述する左側接合部および右側接合部２５によって接合されている。
【００１８】
マスク本体部２０は、好適には、熱可塑性繊維からなる不織布シートが、反着用者側に配置される外側層、フィルター層（中間層）、着用者側に配置される内側層の３層に積層された積層シートにより形成される。不織布シートとしては、例えば、ポリエチレン、ポリプロピレン、ポリエチレンテレフタレート等を用いて、エアスルー法、スパンボンド法、サーマルボンド法、スパンレース法、ポイントボンド法、メルトブロー法、ステッチボンド法、ケミカルボンド法、ニードルパンチ法等により製造され、目付が１０〜１５０ｇ／ｍ２のものが用いられる。外側層および内側層を形成する不織布シートとしては、通気性と肌触りがよいものが、また、フィルター層を形成する不織布シートとしては、通気性と遮断性（捕集性）がよいものを用いるのが好ましい。
【００１９】
本実施の形態では、左側耳掛け部３０および右側耳掛け部４０は、マスク本体部２０の着用面（着用者側の面）２０Ｘ上に配置された状態で、マスク本体部２０に接合されている。
本実施の形態では、マスク本体部２０と左側耳掛け部３０および左側耳掛け部４０は、別体に形成されている。なお、マスク本体部２０と左側耳掛け部３０および左側耳掛け部４０を一体に形成することもできる。例えば、１つのシート片を折り返すことによって、マスク本体部２０に左側耳掛け部３０および左側耳掛け部４０を重ねる。
左側耳掛け部３０および右側耳掛け部４０は、シート片により形成される。左側耳掛け部３０および右側耳掛け部４０を形成するシート片としては、マスク本体部２０と同様に、熱可塑性合成繊維からなる不織布シートを用いることができるが、伸縮性が高い不織布シートを用いるのが好ましい。例えば、目付が３０〜１２０ｇ／ｍ２の、伸縮ＳＢ（スパンボンド）不織布シート、伸縮ＳＭＳ（スパンボンド／メルトブロー／スパンボンド複合不織布シート）不織布シート、（伸縮ＳＢ−フィルム−ＳＢ）不織布シート、伸縮性スパンレース不織布シート、伸縮ＨＭＡ（ホットメルト背着剤）不織布シート等が用いられる。
【００２０】
左側耳掛け部３０は、基部３１と、基部３１から延び、開口３０ａを形成する縁部（耳掛け部）３２を有している。基部３１は、第２の方向８０に沿って延びており、中央基部３１ｂと、中央部３１ｂより第２の方向８０に沿って他方方向側（上側）に配置されている上端側基部３１ａと、中央基部３１ｂより第２の方向８０に沿って一方方向側（下側）に配置されている下端側基部３１ｃを有している。縁部（耳掛け部）３２は、基部３１の上端側基部３１ａと下端側基部３１ｃから延びている。開口３０ａは、切欠部３３によって形成されている。縁部（耳掛け部）３２は、開口３０ａに挿入された着用者の左耳に掛けられる。基部３１が、本発明の「第１の基部」に対応し、縁部（耳掛け部）３２が、本発明の「第１の縁部」に対応する。また、「上端側基部３１ａ」が、本発明の「第１の上端側基部」に対応し、中央基部３１ｂが、本発明の「第１の中央基部」に対応し、下端側基部３１ｃが、本発明の「第１の下端側基部」に対応する。
左側耳掛け部３０は、マスク本体部２０の着用面２０Ｘ上に、第１の方向７０に沿った他方方向側（左側）に配置されている。また、左側耳掛け部３０は、縁部３２が、基部３１より、第１の方向７０に沿った一方方向側（右側）に配置されるように着用面２０Ｘ上に配置されている。
そして、左側耳掛け部３０の基部３１の一部が、左側接合部によってマスク本体部２０に接合されている。左側接合部は、第２の方向８０に沿って形成された線状の接合部あるいは点状の接合部等によって構成されている。本実施の形態では、基部３１の一部が、上端側基部３１ａ、中央基部３１ｂおよび下端側基部３１ｃにおいて、左側接合部によってマスク本体部２０に接合されている。すなわち、左側接合部は、上端側基部３１ａをマスク本体部２０に接合する上端側接合部２３、中央基部３１ｂをマスク本体部２０に接合する中央接合部２２、下端側基部３１ｃをマスク本体部２０に接合する下端側接合部２４を有している。左側接合部は、左側接合部より縁部３２側の部分が、左側接合部の箇所で第１の方向７０に沿って折り返すことができるように形成される。左側接合部が、本発明の「第１の接合部」に対応し、上端側接合部２３が、本発明の「第１の上端側接合部」に対応し、中央接合部２２が、本発明の「第１の中央接合部」に対応し、下端側接合部２４が、本発明の「第１の下端側接合部」に対応する。
【００２１】
右側耳掛け部４０は、左側耳掛け部３０と同様に、基部４１と、基部４１から延び、開口４０ａを形成する縁部（耳掛け部）４２を有している。基部４１は、第２の方向８０に沿って一方方向に順に配置されている上端側基部４１ａ、中央基部４１ｂおよび下端側基部４１ｃを有している。縁部（耳掛け部）４２は、上端側基部４１ａと下端側基部４１ｃから延びている。開口４０ａは、切欠部４３によって形成されている。縁部（耳掛け部）４２は、開口４０ａに挿入された着用者の右耳に掛けられる。基部４１が、本発明の「第２の基部」に対応し、縁部（耳掛け部）４２が、本発明の「第２の縁部」に対応する。また、「上端側基部４１ａ」が、本発明の「第２の上端側基部」に対応し、中央基部４１ｂが、本発明の「第２の中央基部」に対応し、下端側基部４１ｃが、本発明の「第２の下端側基部」に対応する。
右側耳掛け部４０は、マスク本体部２０の着用面２０Ｘ上に、第１の方向７０に沿った一方方向側（右側）に配置されている。また、右側耳掛け部４０は、縁部（耳掛け部）４２が、基部４１より、第１の方向７０に沿った他方方向側（左側）に配置されるように着用面２０Ｘ上に配置されている。
そして、右側耳掛け部４０の基部４１は、右側接合部によってマスク本体部２０に接合されている。右側接合部は、第２の方向８０に沿って形成された線状の接合部あるいは点状の接合部等によって構成されている。本実施の形態では、基部４１の一部が、上端側基部４１ａ、中央基部４１ｂおよび下端側基部４１ｃにおいて、右側接合部によってマスク本体部２０に接合されている。すなわち、右側接合部は、上端側基部４１ａをマスク本体部２０に接合する上端側接合部２６、中央基部４１ｂをマスク本体部２０に接合する中央接合部、下端側基部４１ｃをマスク本体部２０に接合する下端側接合部２７を有している。右側接合部は、右側接合部より縁部４２側の部分が、右側接合部の箇所で第１の方向７０に沿って折り返すことができるように形成される。右側接合部が、本発明の「第２の接合部」に対応し、上端側接合部２６が、本発明の「第２の上端側接合部」に対応し、中央接合部が、本発明の「第２の中央接合部」に対応し、下端側接合部２７が、本発明の「第２の下端側接合部」に対応する。
【００２２】
なお、左側耳掛け部３０（右側耳掛け部４０）の上端側基部３１ａ（４１ａ）および下端側基部３１ｃ（４１ｃ）の幅、言い換えれば、基部３１（４１）と縁部（耳掛け部）３２（４２）との連結部の幅は、Ｌに設定されている。例えば、マスク本体部２０の高さＨが７０ｍｍ〜１１０ｍｍ、上端側基部３１ａ（４１ａ）および下端側基部３１ｃ（４１ｃ）の幅Ｌが１０ｍｍ〜３０ｍｍに設定される。すなわち、本実施の形態では、左側耳掛け部３０（右側耳掛け部４０）の縁部３２（４２）は、幅を有する帯状の部材として形成されている。
【００２３】
以上のように、左側耳掛け部３０および右側耳掛け部４０は、マスク本体部２０の着用面２０Ｘ上に、それぞれ第１の方向に沿って左側部および右側部に配置される。また、縁部（３２、４２）が基部（３１、４１）より第１の方向７０に沿って中央側に配置されるように、すなわち、左側耳掛け部３０の縁部３２と右側耳掛け部４０の縁部４２が第１の方向７０に沿って対向するように、着用面２０Ｘ上に配置されている。そして、右側耳掛け部３０の基部３１の一部が、左側接合部によってマスク本体部２０に接合され、右側耳掛け部４０の基部４１の一部が、右側接合部によってマスク本体部２０に接合されている。
非着用時には、左側耳掛け部３０および右側耳掛け部４０がマスク本体部２０の着用面２０Ｘに重ねられるため、マスク１０の大きさ（面積）がマスク本体部２０の大きさ（面積）にほぼ等しくなる。これにより、非着用時におけるマスク１０の包装や持ち運びが容易である。
【００２４】
次に、本実施の形態のマスク１０を着用する動作を説明する。
図１、図２に示されている状態で、第２の方向８０に沿った両端の襞２０Ｂ、２０Ｊの中央部を第２の方向８０に沿って引っ張る。これにより、マスク本体部２０は、図５に示されているように、襞２０Ｂ〜２０Ｊの第１の方向７０に沿った中央部が、第２の方向８０に沿って拡開する。同時に、中央の襞２０Ｆと両端の襞２０Ａおよび２０Ｂとの間の第３の方向９０（前後方向）に沿った間隔が大きくなる。すなわち、マスク本体部２０は、立体状となる。
また、図３、図６に示されているように、左側耳掛け部３０および右側耳掛け部４０を、第１の方向７０（左右方向）に折り返す。すなわち、左側耳掛け部３０の縁部３２を、第１の方向７０に沿って左側に折り返す。これにより、左側耳掛け部３０の、左側接合部より縁部３２側の部分が、左側接合部の箇所で折り返される。また、右側耳掛け部４０の縁部４２を、第１の方向７０に沿って右側に折り返す。これにより、右側耳掛け部４０の、右側接合部より縁部４２側の部分が、右側接合部の箇所で折り返される。
【００２５】
そして、左側耳掛け部３０の開口３０ａを着用者の左耳に掛け、右側耳掛け部４０の開口４０ａを着用者の右耳に掛ける。
この時、左側耳掛け部３０の折り返された部分の一部が、左側接合部と着用者６０の間に配置される。すなわち、左側接合部が、左側耳掛け部３０の、折り返された部分の一部によって覆われる。また、右側耳掛け部４０の折り返された部分の一部が、右側接合部と着用者６０の間に配置される。すなわち、右側接合部が、右側耳掛け部４０の、折り返された部分の一部によって覆われる。
これにより、マスク着用時に、着用者６０の肌に左側接合部および右側接合部が直接に接触するのを防止することができる。
なお、本実施の形態では、左側耳掛け部３０の上端側基部３１ａの、上端側接合部２３より縁部３２側の部分、左側耳掛け部３０の下端側基部３１ｃの、下端側接合部２４より縁部３２側の部分だけでなく、左側耳掛け部３０の中央基部３１ｂの、中央接合部２２より縁部３２側の部分も折り返される。これにより、左側接合部が着用者の肌に接触するのを防止しながら、上端側基部３１ａと下端側基部３１ｃの間にも左側接合部を形成して左側耳掛け部３０とマスク本体部２０との接合強度を高めることができる。右側耳掛け部４０についても同様である。
【００２６】
さらに、本実施の形態では、図２に示されているように、中央基部３１ｂ（４１ｂ）における中央接合部２２と、上端側基部３１ａ（４１ａ）における上端側接合部２３（２６）および下端側基部３１ｃ（４１ｃ）における下端側接合部２４（２７）の配置態様を変更している。中央基部３１ｂ（４１ｂ）における中央接合部２２は、第２の方向８０に沿った位置が、第１の方向７０に関してほぼ同じとなるように（第３の方向８０に略平行に）形成されている。一方、上端側基部３１ａ（４１ａ）における上端側接合部２３（２６）および下端側基部３１ｃ（４１ｃ）における下端側接合部２４（２７）は、第２の方向に沿った位置が、第１の方向７０に関して偏移されている。
図２では、上端側接合部２３は、第２の方向８０に沿った一方方向端（下方端）の下部接合部２３ｄが、第２の方向８０に沿った他方方向端（上方端）の上部接合部２３ｕに対して、第１の方向７０に沿って縁部３２と反対側に配置されている。上端側接合部２６は、第２の方向８０に沿った下方端の下部接合部２６ｄが、第２の方向８０に沿った上方端の上部接合部２６ｕに対して、第１の方向７０に沿って縁部４２と反対側に配置されている。そして、上部接合部２３ｕ（２６ｕ）と下部接合部２３ｄ（２６ｄ）の間に、適宜の接合部が形成されている。
また、下端側接合部２４は、第２の方向８０に沿った上方端の上部接合部２４ｕが、第２の方向８０に沿った下方端の下部接合部２４ｄに対して、第１の方向７０に沿って縁部３２と反対側に配置されている。下端側接合部２７は、第２の方向８０に沿った上方端の上部接合部２７ｕが、第２の方向８０に沿った下方端の下部接合部２７ｄに対して、第１の方向７０に沿って縁部４２と反対側に配置されている。そして、上部接合部２４ｕ（２７ｕ）と下部接合部２４ｄ（２７ｄ）の間に、適宜の形状の接合部が形成されている。
なお、左側接合部および右側接合部の形状や、位置（第１の方向７０に沿った位置）は、適宜設定可能であるが、左側接合部および右側接合部の箇所で折り返した部分の一部によって左側接合部および右側接合部を覆うことができるように設定するのが好ましい。
【００２７】
このように、本実施の形態では、左側接合部の上端側接合部２３の位置は、第２の方向８０に沿った上方端の上部接合部２３ｕの位置から、第２の方向８０に沿った下方端の下部接合部２３ｄの位置に、第１の方向７０に沿って他方方向（左方向）に順次偏移している。そして、右側接合部の上端側接合部２６の位置は、第２の方向８０に沿った上方端の上部接合部２６ｕの位置から、第２の方向８０に沿った下方端の下部接合部２６ｄの位置に、第１の方向７０に沿って一方方向（右方向）に順次偏移している。これにより、マスク着用時に、上端側基部３１ａおよび４１ａにおいて、マスク本体部２０と着用者との間に隙間が形成されるのが防止される。
また、左側接合部の下端側接合部２４の位置は、第２の方向８０に沿った下方端の下部接合部２４ｄの位置から、第２の方向８０に沿った上方端の上部接合部２４ｕの位置に、第１の方向７０に沿って他方方向（左方向）に順次偏移している。そして、右側接合部２５の下端側接合部２７の位置は、第２の方向８０に沿った下方端の下部接合部２７ｄの位置から、第２の方向８０に沿った上方端の上部接合部２７ｕの位置に、第１の方向７０に沿って一方方向（右方向）に順次偏移している。これにより、マスク着用時に、下端側基部３１ｃおよび４１ｃにおいて、マスク本体部２０と着用者との間に隙間が形成されるのを防止することができる。
なお、マスク着用時には、上端側基部３１ａおよび４１ａにおいて隙間が発生し易い。このため、左側接合部２２の上端側接合部２３および右側接合部２５の上端側接合部２６の位置のみを、第１の方向７０に沿って偏移させてもよい。
【００２８】
上端側接合部（２３、２６）および下端側接合部（２４、２７）は、適宜の形状に形成することができるが、第２の方向８０に沿った端部側が、縁部３２（４２）の折り返し方向に対して直角（略直角を含む）に形成されているのが好ましい。すなわち、上端側接合部２３（２６）は、第２の方向８０の上方端の上部接合部２３ｕ（２６ｕ）側の箇所において、第２の方向８０に平行（略平行を含む）に形成される。また、下端側接合部２４（２７）は、第２の方向８０の下方端の下部接合部２４ｄ（２７ｄ）側の箇所において、第２の方向８０に平行（略平行を含む）に形成される。
例えば、図７に示されている上端側接合部２３は、上部接合部２３ｕ側の箇所（波線の箇所）に、第２の方向８０に平行（略平行を含む）に形成されている接合部２３ａと、曲線に沿って形成されている接合部２３ｂを有している。
また、図８に示されている上端側接合部２３は、上部接合部２３ｕ側の箇所に（波線の箇所）に、第２の方向８０に平行（略平行を含む）に形成されている接合部２３ａと、階段状の直線に沿って形成されている接合部２３ｂおよび２３ｃを有している。
また、図９に示されている上端側接合部２３は、上部接合部２３ｕ側の箇所に（波線の箇所）に、第２の方向８０に平行（略平行を含む）に形成されている接合部２３ａと、第２の方向８０に平行（略平行を含む）に形成されている接合部２３ｂを有している（接合部２３ａと２３ｂは不連続）。
このように、上端側接合部（２３、２６）および下端側接合部（２４、２７）の、第２の方向８０に沿った端部側を、縁部３２（４２）の折り返し方向（第１の方向７０）に対して直角に形成することにより、縁部３２（４２）の折り返し方向（第１の方向７０）への引っ張り応力に対する強度が増大する。
【００２９】
以上では、左側耳掛け部３０（右側耳掛け部４０）に、第２の方向８０に沿って一方方向（下方向）に順次配置された上端側基部３１ａ（４１ａ）、中央基部３１ｂ（４１ｂ）および下端側基部３１ｃ（４１ｃ）を含む基部３１（４１）を設けたが、基部３１（４１）の形状はこれに限定されない。
本発明のマスクの他の実施の形態１１０が図１０に示されている。
本実施の形態のマスク１１０は、マスク本体部１２０と、左側耳掛け部１３０および右側耳掛け部１４０を備えている。マスク本体部１２０は、前述したマスク本体部２０と同様の構成である。
【００３０】
左側耳掛け部１３０は、第２の方向８０に沿って離れている上端側基部１３１ａと下端側基部１３１ｃを含む基部と、上端側基部１３１ａおよび下端側基部１３１ｃから延びている縁部１３２を備えている。また、左側耳掛け部１３０には、切欠部１３３によって開口１３０ａが形成されている。左側耳掛け部１３０は、縁部１３２が、上端側基部１３１ａおよび下端側基部１３１ｃより、第１の方向７０に沿って一方方向側（右側）に配置されるように、マスク本体部１２０の着用面１２０Ｘの他方方向側の側部（左側部）に重ねられている。そして、上端側基部１３１ａの一部および下端側基部１３１ｂの一部が、左側接合部によってマスク本体部１２０に接合されている。左側接合部は、上端側基部１３１ａをマスク本体部１２０に接合する上端側接合部１２３と、下端側基部１３１ｃをマスク本体部１２０に接合する下端側接合部１２４と、マスク本体部１２０の襞２０Ｂ〜２０Ｊを接合する中央接合部１２２を有している。
右側耳掛け部１４０は、第２の方向８０に沿って離れている上端側基部１４１ａと下端側基部１４１ｃを含む基部と、上端側基部１４１ａおよび下端側基部１４１ｃから延びている縁部１４２を備えている。また、右側耳掛け部１４０には、切欠部１４３によって開口１４０ａが形成されている。また、右側耳掛け部１４０は、縁部１４２が、上端側基部１４１ａおよび下端側基部１４１ｃより、第１の方向７０に沿って他方方向側（左側）に配置されるように、マスク本体部１２０の着用面１２０Ｘの一方方向側の側部（右側部）に配置されている。そして、上端側基部１４１ａの一部および下端側基部１４１ｂの一部が、右側接合部によってマスク本体部１２０に接合されている。右側接合部は、上端側基部１４ａをマスク本体部１２０に接合する上端側接合部１２６、下端側基部１４ｃをマスク本体部１２０に接合する下端側接合部１２７、マスク本体部１２０の襞２０Ｂ〜２０Ｊを接合する中央接合部１２５有している。
左側接合部（右側接合部）の上端側接合部１２３（１２６）および下端側接合部１２４１２７）は、上端側接合部１２３（１２６）および下端側接合部１２４（１２７）より縁部１３２（１４２）側の部分が、上端側接合部１２３（１２６）および下端側接合部１２４（１２７）の箇所で折り返すことができるように形成されている。
【００３１】
本実施の形態のマスク１１０を着用する際には、左側耳掛け部１３０の、上端側接合部１２３および下端側接合１２４より縁部１３２側の部分を、上端側接合部１２３および下端側接合１２４の箇所で折り返す。また、右側耳掛け部１４０の、上端側接合部１２６および下端側接合１２７より縁部１４２側の部分を、上端側接合部１２６および下端側接合１２７の箇所で折り返す。これにより、上端側接合部１２３および下端側接合１２４より縁部１３２側の部分の一部によって、上端側接合部１２３および下端側接合１２４が覆われる。また、上端側接合部１２６および下端側接合１２７より縁部１４２側の部分の一部によって、上端側接合部１２６および下端側接合１２７が覆われる。
本実施の形態では、左側接合部（右側接合部）の上端側接合部１２３（１２６）と下端側接合部１２４（１２７）の間の部分は覆われないが、上端側接合部１２３（１２６）および下端側接合部１２４（１２７）に対応する部分が覆われる。これにより、マスク着用時に、着用者の肌に上端側接合部１２３（１２６）および下端側接合部１２４（１２６）が接触するのを防止することができる。この場合でも、従来技術よりは良好に着用することができる。
また、マスク着用時に、上端側基部１３１ａおよび１４１ａにおいて、さらには、下側基部１３１ｃおよび１４１ｃにおいて、マスク本体部１２０と着用者との間に隙間が形成されるのが防止される。
なお、基部１３１（１４１）の上端側基部１３１ａ（１４１ａ）と下側基部１３１ｃ（１４１ｃ）の間の形状は、適宜変更可能である。
【００３２】
本発明は、実施の形態で説明した構成に限定されず、種々の変更、追加、削除が可能である。
マスク本体部、左側耳掛け部および右側耳掛け部としては、種々の構成のマスク本体部、左側耳掛け部および右側耳掛け部を用いることができる。例えば、少なくとも着用時に立体状となるマスク本体部や常時平面状に維持されるマスク本体部を用いることができる。
また、マスク本体部、左側耳掛け部および右側耳掛け部は、種々の材料を用いて、また、種々の方法を用いて形成することができる。さらに、マスク本体部、左側耳掛け部および右側耳掛け部を接合する方法としては、種々の接合方法を用いることができる。
マスク本体部の各襞の形状等は、適宜変更可能である。
左側接合部および右側接合部の形状、配置位置等は、適宜変更可能である。また、接合部としては、連続する接合部を用いることもできるし、離散的に配置された種々の形状の接合部を用いることもできる。
実施の形態で説明した各構成は、単独で用いることもできるし、適宜選択した複数の構成を組み合わせて用いることもできる。
【符号の説明】
【００３３】
１０、１１０  マスク
２０、１２０  マスク本体部
２０ａ〜２０ｄ  縁部
２０Ｂ〜２０Ｊ  襞（プリーツ）
２０Ｘ  着用面（裏面）
２０Ｙ  非着用面（表面）
２１ａ〜２１ｊ  折返し線
２２、２５、１２２、１２５  中央接合部
２３、１２３、２６、１２６  上端側接合部
２３ｕ、２４ｕ、２６ｕ、２７ｕ  上部接合部
２３ｄ、２４ｄ、３６ｄ、２７ｄ  下部接合部
２４、１２４、２７、１２７  下端側接合部
３０、１３０  左側耳掛け部（第１の耳掛け部）
３０ａ、４０ａ  開口
３１、４１  基部
３１ａ、４１ａ、１３１ａ、１４１ａ  上端側基部
３１ｂ、４１ｂ  中央基部
３１ｃ、４１ｃ、１３１ｃ、１４１ｃ  下端側基部
３２、４２  縁部
４０、１４０  右側耳掛け部（第２の耳掛け部）
７０  第１の方向（左右方向）
８０  第２の方向（上下方向）
９０  第３の方向（前後方向）
【図１】
0005436262.tif 000002
【図２】
0005436262.tif 000003
【図３】
0005436262.tif 000004
【図４】
0005436262.tif 000005
【図５】
0005436262.tif 000006
【図６】
0005436262.tif 000007
【図７】
0005436262.tif 000008
【図８】
0005436262.tif 000009
【図９】
0005436262.tif 000010
【図１０】
0005436262.tif 000011